(57)【特許請求の範囲】
【請求項１】
協調マルチポイント(CoMP)ジョイントトランスミッション(JT)通信方法であって、
協調基地局によって、サービング基地局から協調情報を受信するステップと、
前記協調基地局によって、前記協調情報に従ってJT協調サブフレームを構成するステップであって、前記JT協調サブフレームは非MBSFNサブフレームであり、前記JT協調サブフレームは、前記サービング基地局によって構成されたJTサービングサブフレームと共にサービングセルにおけるUEのJTデータを送信するために使用され、前記サービング基地局は前記サービングセルにおける前記UEに対して通信サービスを提供するように構成され、前記JTサービングサブフレームは非MBSFNサブフレームである、ステップと、
前記サービングセルにおける前記UEがCoMP JT通信を実行する必要があるとき、前記協調基地局によって、前記サービングセルにおける前記UEに対してCoMP JT通信サービスを提供するために、前記JT協調サブフレームを前記サービングセルにおける前記UEに送信するステップと
を含み、
前記協調情報は前記サービングセルの制御フォーマットインジケータ(CFI)を含み、かつ前記協調基地局によって、前記協調情報に従ってJT協調サブフレームを構成する前記ステップは、
前記協調基地局によって、前記CFIに従って前記JT協調サブフレームを構成するステップであって、その結果、前記JT協調サブフレームの物理ダウンリンク制御チャネル(PDCCH)のシンボル量は前記JTサービングサブフレームのものと同一であり、かつ前記JT協調サブフレームにおいて、セル固有参照信号(CRS)は前記PDCCH上にのみ構成される、ステップ
を含む、CoMP JT通信方法。
【請求項２】
前記協調情報は前記サービングセルのセル識別情報をさらに含み、かつ前記協調基地局によって、前記協調情報に従ってJT協調サブフレームを構成する前記ステップはさらに、
前記協調基地局によって、前記サービングセルの前記セル識別情報に従って前記JTサービングサブフレームにおける前記CRSの位置を決定し、かつ前記JT協調サブフレームを構成するステップであって、その結果、前記JT協調サブフレームにおいて、前記サービングセルにおける前記UEの前記JTデータは前記JTサービングサブフレームにおける前記CRSの前記位置と異なる位置に構成される、ステップ
をさらに含む、請求項1に記載のCoMP JT通信方法。
【請求項３】
前記協調基地局によって、前記JT協調サブフレームを前記サービングセルにおける前記UEに送信する前記ステップの前に、前記方法は、
前記協調基地局によって、無線リソース制御(RRC)シグナリングを協調セルにおけるUEに送信するステップであって、前記RRCシグナリングは、前記JT協調サブフレーム上でチャネル測定を実行しないよう前記協調セルにおける前記UEに指示するために使用される、ステップ
をさらに含む、請求項1または2に記載のCoMP JT通信方法。
【請求項４】
前記RRCシグナリングは、前記JT協調サブフレームがマルチメディア・ブロードキャスト・マルチキャスト・サービス・単一周波数ネットワーク(MBSFN)サブフレームであることを前記協調セルにおける前記UEに通知するために特に使用される、請求項3に記載のCoMP JT通信方法。
【請求項５】
協調マルチポイント(CoMP)ジョイントトランスミッション(JT)通信方法であって、
サービング基地局によって、JTサービングサブフレームを構成するステップであって、前記サービング基地局はサービングセルにおけるユーザ機器,UE,に対して通信サービスを提供するように構成され、前記JTサービングサブフレームは非MBSFNサブフレームであり、かつ前記JTサービングサブフレームは前記サービングセルにおける前記UEのJTデータを送信するために使用される、ステップと、
前記サービング基地局によって、協調情報を協調基地局に送信するステップであって、前記協調情報は前記協調基地局にJT協調サブフレームを構成するよう指示するために使用され、前記JT協調サブフレームは非MBSFNサブフレームであり、かつ前記JT協調サブフレームは、前記サービングセルにおける前記UEがCoMP JT通信を実行する必要があるとき、前記JTサービングサブフレームと共に前記サービングセルにおける前記UEの前記JTデータを送信するために使用される、ステップと、
前記サービングセルにおける前記UEがCoMP JT通信を実行する必要があるとき、前記サービング基地局によって、前記サービングセルにおける前記UEに対してCoMP JT通信サービスを提供するために、前記JTサービングサブフレームを前記サービングセルにおける前記UEに送信するステップと
を含み、
前記協調情報は前記サービングセルの制御フォーマットインジケータ(CFI)を含み、前記CFIは前記JTサービングサブフレームの物理ダウンリンク制御チャネル,PDCCH,のシンボル量を示し、かつ前記協調情報は前記CFIに従って前記JT協調サブフレームを構成するよう前記協調基地局に指示するために使用され、その結果、前記JT協調サブフレームのPDCCHのシンボル量は前記JTサービングサブフレームのものと同一であり、かつ前記JT協調サブフレームにおいて、セル固有参照信号(CRS)は前記PDCCH上にのみ構成される、CoMP JT通信方法。
【請求項６】
前記協調情報は前記サービングセルのセル識別情報を含み、かつ前記協調情報は、前記サービングセルの前記セル識別情報に従って前記JTサービングサブフレームにおける前記CRSの位置を決定し、かつ前記JT協調サブフレームを構成するよう前記協調基地局に指示するために使用され、その結果、前記JT協調サブフレームにおいて、前記サービングセルにおける前記UEの前記JTデータは、前記JTサービングサブフレームにおける前記CRSの前記位置と異なる位置に構成される、請求項5に記載のCoMP JT通信方法。
【請求項７】
サービング基地局から協調情報を受信するように構成された情報受信モジュールと、
前記協調情報に従ってジョイントトランスミッション,JT,協調サブフレームを構成するように構成された第2処理モジュールであって、前記JT協調サブフレームは非MBSFNサブフレームであり、前記JT協調サブフレームは、前記サービング基地局によって構成されたJTサービングサブフレームと共にサービングセルにおける前記ユーザ機器UEのJTデータを送信するために使用され、前記サービング基地局は前記サービングセルにおける前記ユーザ機器UEに対して通信サービスを提供するように構成され、前記JTサービングサブフレームは非MBSFNサブフレームであり、かつ前記JTサービングサブフレームは前記サービングセルにおける前記UEの前記JTデータを送信するために使用される、第2処理モジュールと、
前記サービングセルにおける前記UEが協調マルチポイント(CoMP) JT通信を実行する必要があるとき、前記サービングセルにおける前記UEに対してCoMP JT通信サービスを提供するために、前記JT協調サブフレームを前記サービングセルにおける前記UEに送信するように構成された第2通信モジュールと
を含み、
前記協調情報は前記サービングセルの制御フォーマットインジケータ(CFI)を含み、かつ前記第2処理モジュールは、
前記CFIに従って前記JT協調サブフレームを構成するように特に構成され、その結果、前記JT協調サブフレームの物理ダウンリンク制御チャネル(PDCCH)のシンボル量は前記JTサービングサブフレームのものと同一であり、かつ前記JT協調サブフレームにおいて、セル固有参照信号(CRS)は前記PDCCH上にのみ構成される、協調基地局。
【請求項８】
前記協調情報は前記サービングセルのセル識別情報をさらに含み、かつ前記第2処理モジュールは、
前記サービングセルの前記セル識別情報に従って前記JTサービングサブフレームにおける前記CRSの位置を決定し、かつ前記JT協調サブフレームを構成するようにさらに構成され、その結果、前記JT協調サブフレームにおいて、前記サービングセルにおける前記UEの前記JTデータは、前記JTサービングサブフレームにおける前記CRSの前記位置と異なる位置に構成される、請求項7に記載の協調基地局。
【請求項９】
前記協調基地局は、無線リソース制御(RRC)シグナリングを協調セルにおけるUEに送信するように構成されたシグナリング送信モジュールであって、前記RRCシグナリングは前記JT協調サブフレーム上でチャネル測定を実行しないよう前記協調セルにおける前記UEに指示するために使用される、シグナリング送信モジュールをさらに含む、請求項7または8に記載の協調基地局。
【請求項１０】
前記RRCシグナリングは、前記JT協調サブフレームがマルチメディア・ブロードキャスト・マルチキャスト・サービス・単一周波数ネットワーク,MBSFN,サブフレームであることを前記協調セルにおける前記UEに通知するために特に使用される、請求項9に記載の協調基地局。
【請求項１１】
サービング基地局であって、前記サービング基地局はサービングセルにおけるユーザ機器(UE)に対して通信サービスを提供するように構成され、かつ
ジョイントトランスミッション,JT,サービングサブフレームを構成するように構成された第1処理モジュールであって、前記JTサービングサブフレームは非MBSFNサブフレームであり、かつ前記JTサービングサブフレームは前記サービングセルにおける前記UEのJTデータを送信するために使用される、第1処理モジュールと、
協調情報を協調基地局に送信するように構成された情報送信モジュールであって、前記協調情報は前記協調基地局にJT協調サブフレームを構成するよう指示するために使用され、前記JT協調サブフレームは非MBSFNサブフレームであり、かつ前記JT協調サブフレームは、前記サービングセルにおける前記UEが協調マルチポイント(CoMP) JT通信を実行する必要があるとき、前記JTサービングサブフレームと共に前記サービングセルにおける前記UEの前記JTデータを送信するために使用される、情報送信モジュールと、
前記サービングセルにおける前記UEがCoMP JT通信を実行する必要があるとき、前記サービングセルにおける前記UEに対してCoMP JT通信サービスを提供するために、前記JTサービングサブフレームを前記サービングセルにおける前記UEに送信するように構成された第1通信モジュールと
を含み、
前記協調情報は前記サービングセルの制御フォーマットインジケータ(CFI)を含み、前記CFIは前記JTサービングサブフレームの物理ダウンリンク制御チャネル(PDCCH)のシンボル量を示し、かつ前記協調情報は前記CFIに従って前記JT協調サブフレームを構成するよう前記協調基地局に指示するために使用され、その結果、前記JT協調サブフレームのPDCCHのシンボル量は前記JTサービングサブフレームのものと同一であり、かつ前記JT協調サブフレームにおいて、セル固有参照信号(CRS)は前記PDCCH上にのみ構成される、サービング基地局。
【発明の詳細な説明】
【技術分野】
【０００１】
本出願は、「CoMP JT COMMUNICATION METHOD AND BASE STATION」と題する、2014年9月12日に中国特許庁出願された中国特許出願第201410466513.1号の優先権を主張し、本願は参照により本明細書に組み込まれる。
【０００２】
本発明は、通信の分野に関し、特にCoMP JT通信方法および基地局に関する。
【背景技術】
【０００３】
通信技術の発展に伴い、協調マルチポイント(CoMP, Coordinated multipoint)伝送技術もますます成熟化している。CoMP技術は、主に、サービングセルおよび協調セルを含む複数のセルの基地局が、ユーザ機器(UE, User Equipment)/進化型NodeB eNodeBの受信信号品質を改善するために、データ受信または伝送を協調して行い、セル間干渉を低減し、かつセルエッジユーザスループットおよびセル平均スループットを向上させることができる。
【０００４】
具体的には、CoMP技術は、ジョイントトランスミッション(JT, Joint Transmission)を含む。CoMP JT通信はセルエッジユーザに適用可能であり、かつサービングセル内のUEの受信信号品質を改善することができ、または他のUEへの干渉を排除することができる。ロングタームエボリューション(LTE, Long Term Evolution)R10以降のリリースでは、基地局は、マルチメディア・ブロードキャスト・マルチキャスト・サービス単一周波数ネットワーク(MBSFN, multimedia broadcast multimedia service single frequency network)サブフレームを使用してJTデータを伝送し、かつUEは、JTデータを透過的に受信し、それによってCoMP JT通信を実施する。
【０００５】
しかしながら、LTE R9以前のUEは、MBSFNサブフレームを使用してビームフォーミング伝送を行うことができず、さらにMBSFNサブフレームで伝送されたJTデータを透過的に受信することができない。従って、従来技術では、LTE R9以前のUEはCoMP JT通信を行うことができない。
【発明の概要】
【課題を解決するための手段】
【０００６】
本発明の実施形態は、LTE R9以前のリリースの通信においてCoMP JT通信を実施するために使用されるCoMP JT通信方法を提供する。
【０００７】
本発明の実施形態の第1の態様は、
協調基地局によって、サービング基地局から協調情報を受信するステップと、
協調基地局によって、協調情報に従ってJT協調サブフレームを構成するステップであって、JT協調サブフレームはノーマルタイプのサブフレームであり、JT協調サブフレームは、サービングセルにおけるユーザ機器UEがCoMP JT通信を実行する必要があるとき、サービング基地局によって構成されたJTサービングサブフレームと共にサービングセルにおけるUEのJTデータを送信するために使用され、サービング基地局はサービングセルにおけるユーザ機器UEに対して通信サービスを提供するように構成され、JTサービングサブフレームはノーマルタイプのサブフレームであり、かつJTサービングサブフレームはサービングセルにおけるUEのJTデータを送信するために使用される、ステップと、
サービングセルにおけるUEがCoMP JT通信を実行する必要があるとき、協調基地局によって、サービングセルにおけるUEに対してCoMP JT通信サービスを提供するために、JT協調サブフレームをサービングセルにおけるUEに送信するステップと
を含む協調マルチポイントCoMPジョイントトランスミッションJT通信方法を提供する。
【０００８】
本発明の実施形態の第1の態様を参照し、本発明の実施形態の第1の態様の第1の実施方式において、協調情報はサービングセルの制御フォーマットインジケータCFIを含み、かつ協調基地局によって、協調情報に従ってJT協調サブフレームを構成するステップは、
協調基地局によって、CFIに従ってJT協調サブフレームを構成するステップであって、その結果、JT協調サブフレームの物理ダウンリンク制御チャネルPDCCHのシンボル量はJTサービングサブフレームのものと同一であり、かつJT協調サブフレームにおいて、セル固有参照信号CRSはPDCCH上にのみ構成される、ステップ
を含む。
【０００９】
本発明の実施形態の第1の態様の第1の実施方式を参照し、本発明の実施形態の第1の態様の第2の実施方式において、協調情報はサービングセルのセル識別情報をさらに含み、かつ協調基地局によって、協調情報に従ってJT協調サブフレームを構成するステップはさらに、
協調基地局によって、サービングセルのセル識別情報に従ってJTサービングサブフレームにおけるCRSの位置を決定し、かつJT協調サブフレームを構成するステップであって、その結果、JT協調サブフレームにおいて、サービングセルにおけるUEのJTデータはJTサービングサブフレームにおけるCRSの位置と異なる位置に構成される、ステップ
をさらに含む。
【００１０】
第1の態様または本発明の実施形態の第1の態様の第1の実施方式若しくは第2の実施方式を参照し、本発明の実施形態の第1の態様の第3の実施方式において、協調基地局によって、JT協調サブフレームをサービングセルにおけるUEに送信するステップの前に、方法は、
協調基地局によって、無線リソース制御RRCシグナリングを協調セルにおけるUEに送信するステップであって、RRCシグナリングは、JT協調サブフレーム上でチャネル測定を実行しないよう協調セルにおけるUEに指示するために使用される、ステップ
をさらに含む。
【００１１】
本発明の実施形態の第1の態様の第3の実施方式を参照し、本発明の実施形態の第1の態様の第4の実施方式において、RRCシグナリングは、JT協調サブフレームがマルチメディア・ブロードキャスト・マルチキャスト・サービス・単一周波数ネットワークMBSFNサブフレームであることを協調セルにおけるUEに通知するために特に使用される。
【００１２】
本発明の実施形態の第2の態様は、
サービング基地局によって、JTサービングサブフレームを構成するステップであって、サービング基地局はサービングセルにおけるユーザ機器UEに対して通信サービスを提供するように構成され、JTサービングサブフレームはノーマルタイプのサブフレームであり、かつJTサービングサブフレームはサービングセルにおけるUEのJTデータを送信するために使用される、ステップと、
サービング基地局によって、協調情報を協調基地局に送信するステップであって、協調情報は協調基地局にJT協調サブフレームを構成するよう指示するために使用され、JT協調サブフレームはノーマルタイプのサブフレームであり、かつJT協調サブフレームは、サービングセルにおけるUEがCoMP JT通信を実行する必要があるとき、JTサービングサブフレームと共にサービングセルにおけるUEのJTデータを送信するために使用される、ステップと、
サービングセルにおけるUEがCoMP JT通信を実行する必要があるとき、サービング基地局によって、サービングセルにおけるUEに対してCoMP JT通信サービスを提供するために、JTサービングサブフレームをサービングセルにおけるUEに送信するステップと
を含む協調マルチポイントCoMPジョイントトランスミッションJT通信方法を提供する。
【００１３】
本発明の実施形態の第2の態様を参照し、本発明の実施形態の第2の態様の第1の実施方式において、協調情報はサービングセルの制御フォーマットインジケータCFIを含み、CFIはJTサービングサブフレームの物理ダウンリンク制御チャネルPDCCHのシンボル量を示し、かつ協調情報はCFIに従ってJT協調サブフレームを構成するよう協調基地局に指示するために使用され、その結果、JT協調サブフレームのPDCCHのシンボル量はJTサービングサブフレームのものと同一であり、かつJT協調サブフレームにおいて、セル固有参照信号CRSはPDCCH上にのみ構成される。
【００１４】
第2の態様または本発明の実施形態の第2の態様の第1の実施方式を参照し、協調情報はサービングセルのセル識別情報を含み、かつ協調情報は、サービングセルのセル識別情報に従ってJTサービングサブフレームにおけるCRSの位置を決定し、かつJT協調サブフレームを構成するよう協調基地局に指示するために使用され、その結果、JT協調サブフレームにおいて、サービングセルにおけるUEのJTデータは、JTサービングサブフレームにおけるCRSの位置と異なる位置に構成される。
【００１５】
本発明の実施形態の第3の態様は、
サービング基地局から協調情報を受信するように構成された情報受信モジュールと、
協調情報に従ってジョイントトランスミッションJT協調サブフレームを構成するように構成された第2処理モジュールであって、JT協調サブフレームはノーマルタイプのサブフレームであり、JT協調サブフレームは、サービングセルにおけるUEが協調マルチポイントCoMP JT通信を実行する必要があるとき、サービング基地局によって構成されたJTサービングサブフレームと共にサービングセルにおけるユーザ機器UEのJTデータを送信するために使用され、サービング基地局はサービングセルにおけるユーザ機器UEに対して通信サービスを提供するように構成され、JTサービングサブフレームはノーマルタイプのサブフレームであり、かつJTサービングサブフレームはサービングセルにおけるUEのJTデータを送信するために使用される、第2処理モジュールと、
サービングセルにおけるUEがCoMP JT通信を実行する必要があるとき、サービングセルにおけるUEに対してCoMP JT通信サービスを提供するために、JT協調サブフレームをサービングセルにおけるUEに送信するように構成された第2通信モジュールと
を含む協調基地局を提供する。
【００１６】
本発明の実施形態の第3の態様を参照し、本発明の実施形態の第3の態様の第1の実施方式において、協調情報はサービングセルの制御フォーマットインジケータCFIを含み、かつ第2処理モジュールは、
CFIに従ってJT協調サブフレームを構成するように特に構成され、その結果、JT協調サブフレームの物理ダウンリンク制御チャネルPDCCHのシンボル量はJTサービングサブフレームのものと同一であり、かつJT協調サブフレームにおいて、セル固有参照信号CRSはPDCCH上にのみ構成される。
【００１７】
本発明の実施形態の第3の態様の第1の実施方式を参照し、本発明の実施形態の第3の態様の第2の実施方式において、協調情報はサービング基地局セルのセル識別情報をさらに含み、かつ第2処理モジュールは、
サービングセルのセル識別情報に従ってJTサービングサブフレームにおけるCRSの位置を決定し、かつJT協調サブフレームを構成するようにさらに構成され、その結果、JT協調サブフレームにおいて、サービングセルにおけるUEのJTデータは、JTサービングサブフレームにおけるCRSの位置と異なる位置に構成される。
【００１８】
第3の態様または本発明の実施形態の第3の態様の第1の実施方式若しくは第2の実施方式を参照し、本発明の実施形態の第3の態様の第3の実施方式において、協調基地局は、
無線リソース制御RRCシグナリングを協調セルにおけるUEに送信するように構成されたシグナリング送信モジュールであって、RRCシグナリングはJT協調サブフレーム上でチャネル測定を実行しないよう協調セルにおけるUEに指示するために使用される、シグナリング送信モジュールをさらに含む。
【００１９】
本発明の実施形態の第3の態様の第3の実施方式を参照し、本発明の実施形態の第3の態様の第4の実施方式において、RRCシグナリングは、JT協調サブフレームがマルチメディア・ブロードキャスト・マルチキャスト・サービス・単一周波数ネットワークMBSFNサブフレームであることを協調セルにおけるUEに通知するために特に使用される。
【００２０】
本発明の実施形態の第4の態様は、サービング基地局であって、サービング基地局はサービングセルにおけるユーザ機器UEに対して通信サービスを提供するように構成され、かつ
ジョイントトランスミッションJTサービングサブフレームを構成するように構成された第1処理モジュールであって、JTサービングサブフレームはノーマルタイプのサブフレームであり、かつJTサービングサブフレームはサービングセルにおけるUEのJTデータを送信するために使用される、第1処理モジュールと、
協調情報を協調基地局に送信するように構成された情報送信モジュールであって、協調情報は協調基地局にJT協調サブフレームを構成するよう指示するために使用され、JT協調サブフレームはノーマルタイプのサブフレームであり、かつJT協調サブフレームは、サービングセルにおけるUEが協調マルチポイントCoMP JT通信を実行する必要があるとき、JTサービングサブフレームと共にサービングセルにおけるUEのJTデータを送信するために使用される、情報送信モジュールと、
サービングセルにおけるUEがCoMP JT通信を実行する必要があるとき、サービングセルにおけるUEに対してCoMP JT通信サービスを提供するために、JTサービングサブフレームをサービングセルにおけるUEに送信するように構成された第1通信モジュールと
を含むサービング基地局を提供する。
【００２１】
本発明の実施形態の第4の態様を参照し、本発明の実施形態の第4の態様の第1の実施方式において、協調情報はサービングセルの制御フォーマットインジケータCFIを含み、CFIはJTサービングサブフレームの物理ダウンリンク制御チャネルPDCCHのシンボル量を示し、かつ協調情報はCFIに従ってJT協調サブフレームを構成するよう協調基地局に指示するために使用され、その結果、JT協調サブフレームのPDCCHのシンボル量はJTサービングサブフレームのものと同一であり、かつJT協調サブフレームにおいて、セル固有参照信号CRSはPDCCH上にのみ構成される。
【００２２】
第4の態様または本発明の実施形態の第4の態様の第1の実施方式を参照し、本発明の実施形態の第4の態様の第2の実施方式において、協調情報はサービングセルのセル識別情報をさらに含み、かつ協調情報は、サービングセルのセル識別情報に従ってJTサービングサブフレームにおけるCRSの位置を決定し、かつJT協調サブフレームを構成するように協調基地局に指示するために使用され、その結果、JT協調サブフレームにおいて、サービングセルにおけるUEのJTデータは、JTサービングサブフレームにおけるCRSの位置と異なる位置に構成される。
【００２３】
本発明の実施形態は、CoMP JT通信方法を提供し、サービング基地局は、ノーマルタイプのサブフレームをJTサービングサブフレームとして構成し、サービング基地局は、協調情報を協調基地局に送信し、その結果、協調基地局はJT協調サブフレームを構成し、かつサービングセルにおけるUEがCoMP JT通信を実行する必要があるとき、サービング基地局はJTサービングサブフレームをサービングセルにおけるUEに送信し、かつサービングセルにおけるUEに対してCoMP JT通信サービスを提供するためにJT協調サブフレームおよびJTサービングサブフレームはサービングセルにおけるUEのJTデータを共に送信する。当該方法を使用することによって、サービング基地局は、ノーマルタイプのサブフレームを直接使用してCoMP JT通信を実行することができ、従ってLTE R9以前のリリースのUEもCoMP JT通信を実施することができる。
【図面の簡単な説明】
【００２４】
【図１】本発明の実施形態によるCoMP JT通信方法の実施形態のフローチャートである。
【図２】本発明の実施形態によるCoMP JT通信方法の別の実施形態のフローチャートである。
【図３】本発明の実施形態によるサービング基地局の実施形態の構造概略図である。
【図４】本発明の実施形態によるサービング基地局の別の実施形態の構造概略図である。
【図５】本発明の実施形態による協調基地局の実施形態の構造概略図である。
【図６】本発明の実施形態による協調基地局の別の実施形態の構造概略図である。
【発明を実施するための形態】
【００２５】
本発明の実施形態は、LTE R9以前のリリースの通信においてCoMP JT通信を実施するために使用されるCoMP JT通信方法を提供する。本発明の実施形態は、関連する基地局をさらに提供し、かつ説明は以下において別個に提供される。
【００２６】
説明および理解を容易にするために、特に以下の規定が本願においてなされる。CoMP JT通信では、JTデータを受信するUEが位置するセルをサービングセルと呼び、サービングセルと連携して、UEにCoMP JTサービスを提供するセルを協調セルと呼ぶ。サービング基地局はサービングセルにおけるUEに通信サービスを提供するように構成され、かつ協調基地局は協調セルにおけるUEに通信サービスを提供するように構成される。好適には、サービングセルおよび協調セルは、隣接するセルであってもよい。1つまたは複数の協調セルが存在してもよく、すなわち1つまたは複数の協調基地局が存在してもよいことが理解されてもよい。サービング基地局および協調基地局は同一の基地局であってもよく、または異なる基地局であってもよい。
【００２７】
本発明の実施形態の技術的解決策は、ロングタームエボリューション(Long Term Evolution, 略して"LTE")システム、ロングタームエボリューションアドバンスト(Long Term Evolution Advanced, 略して"LTE-A")システム、並びに例えばLTE周波数分割複信(Frequency Division Duplex, 略して"FDD")システムおよびLTE時分割複信(Time Division Duplex, 略して"TDD")無線通信システム等のさらに進化したシステムのような様々な無線通信システムに適用されてもよいことが理解されるべきである。
【００２８】
本発明の実施形態では、ユーザ機器(User Equipment, 略して"UE")は、端末(Terminal)、移動局(Mobile Station, 略して"MS")、または携帯端末(Mobile Terminal)等と呼ばれてもよいことがさらに理解されるべきである。UEは、無線アクセスネットワーク(Radio Access Network, 略して"RAN")を使用することによって、1つまたは複数ののコアネットワークと通信してもよい。例えば、UEは、移動電話（または"セルラー"電話と呼ばれる）、または移動端末を有するコンピュータ等であってもよい。例えば、UEは、無線アクセスネットワークと音声および/またはデータを交換する、携帯型、ポケットサイズ、ハンドヘルド型、コンピュータビルトイン型、または車載型のモバイル装置であってもよい。
【００２９】
本発明の実施形態では、サービング基地局と協調基地局の両方は、LTEにおける進化型ノードB(Evolutional Node B, 略して"eNB")であってもよい。まず、本願で提供されるCoMP JT通信方法は、サービング基地局の観点から説明される。CoMP JT通信方式の基本的な手順については、図1を参照されたい。基本的な手順は、主に以下のステップを含む。
【００３０】
101. サービング基地局はJTサービングサブフレームを構成する。
【００３１】
LTE R9以前のリリースのUEは、MBSFNサブフレーム上で送信されたJTデータを透過的に受信することができないため、ノーマルタイプのサブフレームがJTデータをスケジューリングするために本発明の本実施形態において使用される。
【００３２】
本発明の本実施形態において、ノーマルタイプのサブフレームは、最も基本的かつ最も下位のフレーム構造を有する。LTE R9以前のリリースのUEは、ノーマルタイプのサブフレームを使用して送信されたデータを透過的に受信してもよい。
【００３３】
サービング基地局は、ノーマルタイプのサブフレームをJTサービングサブフレームとして構成し、かつJTサービングサブフレームが使用され、サービングセルにおけるUEのJTデータを送信する。本発明の本実施形態において、JTデータは、CoMP JT通信を実行するためにサービングセルにおけるUEによって使用されるデータを示す。
【００３４】
102. サービング基地局は、協調情報を協調基地局に送信する。
【００３５】
本実施形態においてCoMP JT通信を実施するために、JTサービングサブフレームを構成した後に、サービング基地局は協調情報を協調基地局に送信し、その結果、協調基地局は、JT協調サブフレームを構成する。協調情報は、JT協調サブフレームを構成するよう協調基地局に指示するために使用される。JT協調サブフレームはノーマルタイプのサブフレームであり、かつサービングセルにおけるUEがCoMP JT通信を実行する必要があるとき、JTサービングサブフレームと共にサービングセルにおけるUEのJTデータを送信するために使用される。
【００３６】
103. サービング基地局は、JTサービングサブフレームをサービングセルにおけるUEに送信する。
【００３７】
サービングセルにおけるUEがCoMP JT通信を実行する必要があるとき、サービング基地局は、JTサービングサブフレームをサービングセルにおけるUEに送信して、サービングセルにおけるUEに対してCoMP JT通信サービスを提供する。
【００３８】
JT協調サブフレームの機能によれば、当該ステップにおいて、サービングセルにおけるUEがCoMP JT通信を実行する必要があるとき、協調基地局がJT協調サブフレームをサービングセルにおけるUEに送信し、その結果、JT協調サブフレームおよびJTサービングサブフレームは、サービングセルにおけるUEのJTデータを共に送信し、サービングセルにおけるUEに対してCoMP JT通信サービスを提供すると理解されてもよい。
【００３９】
本実施形態において、サービング基地局は、ノーマルタイプのサブフレームをJTサービングサブフレームとして構成し、かつサービング基地局は協調情報を協調基地局に送信し、その結果、協調基地局はJT協調サブフレームを構成する。サービングセルにおけるUEがCoMP JT通信を実行する必要があるとき、サービング基地局はJTサービングサブフレームをサービングセルにおけるUEに送信し、かつサービングセルにおけるUEに対してCoMP JT通信サービスを提供するために、JT協調サブフレームおよびJTサービングサブフレームは、サービングセルにおけるUEのJTデータを共に送信する。当該方法を使用することによって、サービング基地局はノーマルタイプのサブフレームを直接使用してCoMP JT通信を実行することができ、従って、LTE R9以前のリリースのUEもCoMP JT通信を実施することができる。
【００４０】
本発明の本実施形態において、ノーマルサブフレームはJTデータをスケジューリングするために使用される。しかしながら、協調セルもノーマルサブフレームを直接使用してJTデータをスケジューリングするとき、UE受信異常及びセル固有参照信号(CRS, Cell specific Reference Symbol)の競合の問題が発生する。JTデータをスケジューリングするために使用されるサブフレームとサービングセルの物理ダウンリンク制御チャネル(PDCCH, Physical Downlink Control Channel)のシンボル量は、JTデータをスケジューリングするために使用されるサブフレームと協調セルの物理ダウンリンク制御チャネルのシンボル量と異なっていてもよく、かつUEはサービングセルのPDCCHのシンボル量のみを識別できるが、協調セルのPDCCHのシンボル量を識別することはできない。従って、協調セルの基地局からJTデータを受信した後、UEは、協調セルによって送信されたJTデータを正確に復号化することができなくてもよい。さらに、既存のLTEネットワークでは、隣接セルのCRSシフトCRS_shiftは異なる値として構成されるので、サービングセルのサブフレームであり、JTデータを伝送するために使用される位置は、協調セルにおけるCRSを構成するために使用されてもよく、JTデータを送信するためには使用できない。協調セルのCRSの伝送電力を下げ、重畳によりJTデータが送信されるとしても、依然として重大なCRS干渉問題が発生し、CoMP JT通信の効果が不十分となる。
【００４１】
前述の問題を解決するために、本実施形態において、サービング基地局は協調情報を協調基地局に送信する。協調情報は、サービング基地局の制御フォーマットインジケータ(CFI, Control Format Indicator)を含んでもよい。CFIは、JTサービングサブフレームのPDCCHのシンボル量を示し、その結果、協調基地局はCFIに従ってJT協調サブフレームを構成する。JT協調サブフレームのPDCCHのシンボル量はJTサービングサブフレームのものと同一であり、かつJT協調サブフレームにおいて、CRSは、PDCCH上においてのみ構成される。JT協調サブフレームのPDCCHのシンボル量はJTサービングサブフレームのものと同一であるので、サービングセルにおけるUEがJT協調サブフレームのPDCCHのシンボル量を識別することができない場合であっても、サービングセルにおけるUEは、JT協調サブフレームにおけるJTデータを依然として正確に復号化することができる。さらに、JT協調サブフレームにおいて、CRSはPDCCH上においてのみ構成される。従って、サービングセルのサブフレームであり、JTデータを伝送するために使用される位置は、協調セルにおけるCRSを構成するために必ず使用されない。従って、CRS干渉問題は存在せず、かつCoMP JT通信効果が改善される。
【００４２】
さらに好適には、協調情報は、サービングセルのセル識別情報(cell ID)をさらに含んでもよい。協調基地局は、サービングセルのセル識別情報に従ってJTサービングサブフレームにおけるCRSの位置を決定し、JT協調サブフレームを構成するときにJTサービングサブフレームにおけるCRSの位置を回避し、その結果、JT協調サブフレームにおいて、サービングセルにおけるUEのJTデータは、JTサービングサブフレームにおけるCRSの位置と異なる位置に構成される。当該方法を使用して、JTデータがJTサービングサブフレームにおけるCRSの位置と同一の位置に構成されているため、JTデータがサービングセルにおけるUEによって受信できない場合がJT協調サブフレームにおいて回避され、その結果、サービングセルにおけるUEはより完全なJTデータを受信することができる。CoMP JT通信を実施するために、協調情報は他のパラメータをさらに含んでもよく、その結果、協調基地局は、これらのパラメータに従ってJT協調サブフレーム構成およびCoMP JT通信をさらに完了させる。特に、協調情報は、UEのスクランブルID(SCID, Scramble ID)および復調用参照信号(DMRS, Demodulation Reference Signal)IDを含んでもよい。協調基地局は、SCIDおよびサービングセル識別情報を使用することによって、またはDMRS IDを使用することによってDMRSシーケンスの初期値を取得することができる。協調情報はJTユーザによってスケジューリングされたリソース位置をさらに含んでもよく、協調情報はサービングセルにおけるUEの変調および符号化方式(MCS, Modulation Coding Scheme)をさらに含んでもよく、かつ協調情報は、協調基地局に、異なる方法でCoMP JT通信を実行するためにサービング基地局と協力するよう指示するために使用される、協調セルのダウンリンク伝送重み付け値を含んでもよい。協調情報は別のパラメータをさらに含んでもよく、本実施形態では限定されない。
【００４３】
前述の実施形態は、サービング基地局の観点から本願におけるCoMP JT通信方法を説明する。以下では、協調基地局の観点から本願に提供されるCoMP JT通信方法を説明する。図2を参照し、CoMP JT通信方法は以下のステップを含む。
【００４４】
201. 協調基地局は、サービング基地局から協調情報を受信する。
【００４５】
協調基地局は、サービング基地局から協調情報を受信する。協調情報の機能は、第1の実施形態において説明したコンテンツとほとんど同一であり、かつサービングセルにおけるUEがCoMP JT通信を実行する必要があるとき、サービング基地局によって構成されたJTサービングサブフレームと共にサービングセルにおけるUEのJTデータを送信するステップを含む。
【００４６】
202. 協調基地局は、協調情報に従ってJT協調サブフレームを構成する。
【００４７】
協調情報を受信した後、協調基地局は協調情報に従ってJT協調サブフレームを構成する。JT協調サブフレームはノーマルタイプのサブフレームであり、かつサービングセルにおけるUEがCoMP JT通信を実行する必要があるとき、サービング基地局によって構成されたJTサービングサブフレームと共にサービングセルにおけるUEのJTデータを送信するために使用される。
【００４８】
203. 協調基地局は、JT協調サブフレームをサービングセルにおけるUEに送信する。
【００４９】
サービングセルにおけるUEがCoMP JT通信を実行する必要があるとき、サービングセルにおけるUEに対してCoMP JT通信サービスを提供するために、協調基地局は、JT協調サブフレームをサービングセルにおけるUEに送信する。
【００５０】
JT協調サブフレームの機能によれば、当該ステップにおいて、サービングセルにおけるUEがCoMP JT通信を実行する必要があるとき、サービング基地局もJTサービングサブフレームをサービングセルにおけるUEに送信し、その結果、JTサービングサブフレームおよびJT協調サブフレームをサービングセルにおけるUEのJTデータに共に送信し、サービングセルにおけるUEに対してCoMP JT通信サービスを提供する、と理解されてもよい。
【００５１】
本実施形態において、協調基地局はサービング基地局から協調情報を受信し、かつ協調情報に従ってJT協調サブフレームを構成する。サービングセルにおけるUEがCoMP JT通信を実行する必要があるとき、サービング基地局はJTサービングサブフレームをサービングセルにおけるUEに送信し、かつ協調基地局はJT協調サブフレームをサービングセルにおけるUEに送信する。JTサービングサブフレームおよびJT協調サブフレームは、サービングセルにおけるUEのJTデータを共に送信し、サービングセルにおけるUEに対してCoMP JT通信サービスを提供する。当該方法を使用することによって、協調基地局は、ノーマルタイプのサブフレームを直接使用してCoMP JT通信を実行することができ、従って、LTE R9以前のリリースのUEもCoMP JT通信を実施することができる。
【００５２】
第1の実施形態において述べたように、協調セルがノーマルサブフレームを直接使用してJTデータをスケジューリングするとき、UE受信異常およびCRSの競合の問題が発生する。前述の問題を解決するために、本実施形態において、協調情報はCFIを含んでも良い。CFIはJTサービングサブフレームのPDCCHのシンボル量を示す。協調基地局は、CFIに従ってJT協調サブフレームを構成し、その結果、JT協調サブフレームのPDCCHのシンボル量はJTサービングサブフレームのものと同一であり、かつJT協調サブフレームにおいて、CRSはPDCCH上においてのみ構成される。JT協調サブフレームのPDCCHのシンボル量はJTサービングサブフレームのものと同一であるので、サービングセルにおけるUEがJT協調サブフレームのPDCCHのシンボル量を識別することができない場合であっても、サービングセルにおけるUEはJT協調サブフレームにおけるJTデータを依然として正確に復号化することができる。さらに、JT協調サブフレームにおいて、CRSはPDCCH上においてのみ構成される。従って、サービングセルのサブフレームであり、JTデータを伝送するために使用される位置は、協調セルにおけるCRSを構成するためには絶対に使用されない。従って、CRS干渉問題は存在せず、CoMP JT通信効果は改善される。
【００５３】
さらに好適には、協調情報はサービングセルのセル識別情報をさらに含んでもよい。協調基地局は、サービングセルのセル識別情報に従ってJTサービングサブフレームにおけるCRSの位置を決定し、かつJT協調サブフレームを構成するときにJTサービングサブフレームにおけるCRSのこれらの位置を回避し、その結果、JT協調サブフレームにおいて、サービングセルにおけるUEのJTデータは、JTサービングサブフレームにおけるCRSの位置と異なる位置に構成される。当該方法を使用することによって、JTデータがJTサービングサブフレームにおけるCRSの位置と同一の位置に構成されているため、JTデータがサービングセルにおけるUEによって受信できない場合がJT協調サブフレームにおいて回避され、その結果、サービングセルにおけるUEはより完全なJTデータを受信することができる。
【００５４】
JT協調サブフレームは、サービングセルにおけるUEに対してCoMP JT通信サービスを提供するために使用されるので、JT協調サブフレームは協調セルにおけるUEにとって冗長なデータであり、かつその後の測定と、協調セルにおけるUEに対するフィルタリングに影響を与える可能性がある。従って、好適には、JT協調サブフレームをサービングセルにおけるUEに送信する前に、協調基地局は、無線リソース制御(RRC, Radio Resource Control)シグナリングを協調セルにおけるUEに送信してもよく、その結果、協調セルにおけるUEはJT協調サブフレーム上でチャネル測定を実行しない。従って、協調セルにおけるUEは、JT協調サブフレームにおいて透過受信を実行しない。好適には、RRCシグナリングは、JT協調サブフレームがMBSFNサブフレームであることを協調セルにおけるUEに通知するために使用されてもよい。
【００５５】
CoMP JT通信を実施するために、協調情報は他のパラメータをさらに含んでもよく、その結果、協調基地局はこれらのパラメータに従って、JT協調サブフレーム構成およびCoMP JT通信をさらに完了する。特に、協調情報は、UEのスクランブルID(SCID, Scramble ID)および復調用参照信号(DMRS, Demodulation Reference Signal)IDを含んでもよい。協調基地局は、SCIDおよびサービングセル識別情報を使用することによって、またはDMRS IDを使用することによってDMRSシーケンスの初期値を取得することができる。協調情報はJTユーザによってスケジューリングされたリソース位置をさらに含んでもよく、協調情報はサービングセルにおけるUEの変調および符号化方式(MCS, Modulation Coding Scheme)をさらに含んでもよく、かつ協調情報は、協調基地局に、異なる方法でCoMP JT通信を実行するためにサービング基地局と協力するよう指示するために使用される、協調セルのダウンリンク伝送重み付け値を含んでもよい。協調情報は別のパラメータをさらに含んでもよく、本実施形態では限定されない。
【００５６】
サービング基地局および協調基地局は、以下の基地局情報交換方法を使用して、お互いに情報を交換してもよい。
【００５７】
(1) サービング基地局および協調基地局が同一の基地局であり、かつサービングセルおよび協調セルが同一のベースバンド処理ユニットによって管理される場合、基地局は、ベースバンド処理ユニット内通信方法を使用して情報交換を実行する。
【００５８】
(2) サービング基地局および協調基地局が同一の基地局であり、かつサービングセルおよび協調セルが異なるベースバンド処理ユニットによって管理される場合、基地局は、ベースバンド処理ユニット間通信方法を使用して情報交換を実行する。
【００５９】
(3) サービング基地局および協調基地局が異なる基地局である場合、サービング基地局および協調基地局はX2インタフェースを使用してデータ通信を実行し、情報交換を実施する。
【００６０】
サービング基地局が協調情報を協調基地局に送信することは、(1)から(3)の基地局情報交換方法を使用して実施されてもよい。
【００６１】
CoMP JT通信が実施される前に、サービング基地局はCoMP JT通信をいつ実行するかを協調基地局に通知する必要がある。(1)から(3)の基地局情報交換方法を使用して、サービング基地局はさらに、CoMP JT通信をいつ実行するかを協調基地局に通知してもよい。
【００６２】
サービング基地局の観点と協調基地局の観点とは別に、前述の実施形態は、本発明の実施形態において提供されるCoMP JT通信方法を説明している。しかしながら、実際の使用において、CoMP JT通信サービスを受信するUEが位置するセルは、不明確である。従って、セルがサービングセルまたは協調セルであるか否かと、基地局がサービング基地局または協調基地局であるか否かは不変ではない。CoMP JT通信サービスを受信するUEが位置するセルはサービングセルであり、かつサービングセルにおけるUEに対してサービスを提供する基地局はサービング基地局である。
【００６３】
特に、CoMP JT通信を実行する複数の基地局が存在するとき、複数の基地局は、それらのセルがCoMP JT通信サービスを受信するUEを有するか否かを順次問い合わせてもよい。そのセルがCoMP JT通信サービスを受信するUEを有する場合、基地局は、サービング基地局として決定され、かつ別の基地局は協調基地局として決定される。
【００６４】
特に、CoMP JT通信を実行する複数の基地局が存在するとき、CoMP JT通信サービスを受信するUEが存在するか否かは決定されなくてもよく、かつ各基地局は順次サービング基地局としてサービスを提供する。
【００６５】
サービング基地局の観点と協調基地局の観点とは別に、前述の実施形態は、本発明の実施形態において提供されるCoMP JT通信方法を説明しており、かつサービング基地局および協調基地局を決定する方法を説明している。以下では、説明のための特定の適用シナリオを使用している。
【００６６】
基地局A、基地局B、および基地局Cは、それらのセルがCoMP JT通信サービスを受信するUEを有するか否かを順次問い合わせる。現在、基地局Aは、基地局Aが位置するセルがCoMP JT通信サービスを受信するUEを有することを問い合わせ、かつ発見し、かつUEは、LTE R10リリースをサポートしないが、LTE R9リリースをサポートする。従って、基地局Aは、サービング基地局として決定され、かつ基地局Bおよび基地局Cは協調基地局として決定される。
【００６７】
基地局Aはノーマルサブフレーム上でJTデータを構成し、かつサブフレームはJTサービングサブフレームと呼ばれる。次いで、基地局Aは協調情報を基地局Bおよび基地局Cに送信する。協調情報は基地局AのCFI情報と、基地局Aが位置するセルのセル識別情報とを含む。CFI情報は、基地局Aによって構成されたJTサービングサブフレームのPDCCHのシンボル量が2であることを示す。
【００６８】
基地局Bおよび基地局Cは、基地局Aから協調情報を別々に受信し、かつ協調情報におけるCFIおよびセル識別情報に従って、協調サブフレームBおよび協調サブフレームCを別々に構成する。協調サブフレームBおよび協調サブフレームCにおいて、PDCCHのシンボル量もまた2である。サブフレームBおよびサブフレームCでは、PDCCH位置を除く他の位置にはCRSは構成されていない。基地局Bおよび基地局Cは、計算を介し、セル識別情報に従って、Aが位置するセルのサブフレームにおけるCRSの位置を取得し、協調サブフレームBおよび協調サブフレームCにおいて、これらの位置を使用してJTデータを搬送することを回避する。
【００６９】
基地局AはJTサービングサブフレームを使用し、基地局Bは協調サブフレームBを使用し、かつ基地局Cは協調サブフレームCを使用してCoMP JT通信を実行する。
【００７０】
本発明の実施形態は、前述の方法を実施することができる基地局をさらに提供する。本願はまず、サービング基地局の観点から説明を提供する。図3を参照すると、本願に提供されるサービング基地局の主な構造は、
JTサービングサブフレームを構成するように構成された第1処理モジュール301であって、JTサービングサブフレームはノーマルタイプのサブフレームであり、かつJTサービングサブフレームはサービングセルにおけるUEのJTデータを送信するために使用される、第1処理モジュール301と、
協調基地局が協調情報に従ってJT協調サブフレームを構成するために、協調情報を協調基地局に送信するように構成された情報送信モジュール302であって、協調基地局は、協調セルにおけるUEに対して通信サービスを提供し、サービング基地局と共にサービングセルにおけるUEに対してCoMP JT通信サービスを提供するように構成され、協調情報は、JT協調サブフレームを構成するよう協調基地局に指示するために使用され、JT協調サブフレームはノーマルタイプのサブフレームであり、かつJT協調サブフレームは、サービングセルにおけるUEがCoMP JT通信を実行する必要があるとき、JTサービングサブフレームと共にサービングセルにおけるUEのJTデータを送信するために使用される、情報送信モジュール302と、
サービングセルにおけるUEがCoMP JT通信を実行する必要があるとき、サービングセルにおけるUEに対してCoMP JT通信サービスを提供するために、JTサービングサブフレームをサービングセルにおけるUEに送信するように構成された第1通信モジュール303と
を含む。
【００７１】
本実施形態において、第1処理モジュール301は、ノーマルタイプのサブフレームをJTサービングサブフレームとして構成し、かつ情報送信モジュール302は協調情報を協調基地局に送信し、その結果、協調基地局は、JT協調サブフレームを構成する。サービングセルにおけるUEがCoMP JT通信を実行する必要があるとき、第1通信モジュール303は、JTサービングサブフレームをサービングセルにおけるUEに送信し、かつJT協調サブフレームおよびJTサービングサブフレームはサービングセルにおけるUEのJTデータを共に送信し、サービングセルにおけるUEに対してCoMP JT通信サービスを提供する。このように、サービング基地局はノーマルタイプのサブフレームを直接使用し、CoMP JT通信を実行することができ、従って、LTE R9以前のリリースのUEもCoMP JT通信を実施することができる。
【００７２】
特に、情報送信モジュール302は、協調情報を協調基地局に送信するように構成されてもよい。協調基地局がCFIに従ってJT協調サブフレームを構成するために、協調情報はサービングセルのCFIを含む。JT協調サブフレームのPDCCHのシンボル量はJTサービングサブフレームのものと同一であり、かつJT協調サブフレームにおいて、CRSはPDCCH上においてのみ構成される。
【００７３】
好適には、情報送信モジュール302は、協調情報を協調基地局に送信するようにさらに構成されてもよい。協調情報はサービングセルのセル識別情報を含み、その結果、協調基地局はサービングセルのセル識別情報に従ってJTサービングサブフレームにおけるCRSの位置を決定し、かつJT協調サブフレームを構成し、その結果、JT協調サブフレームにおいて、サービングセルにおけるUEのJTデータは、JTサービングサブフレームにおけるCRSの位置と異なる位置に構成される。
【００７４】
前述では、ユニット機能エンティティの観点から本発明の本実施形態におけるサービング基地局を説明し、かつ以下では、ハードウェア処理の観点から本発明の本実施形態におけるサービング基地局を説明する。図4を参照すると、本発明の本実施形態におけるサービング基地局400の別の実施形態は、
入力装置401と、出力装置402と、プロセッサ403と、メモリ404と(サービング基地局400は、1つまたは2以上のプロセッサ403を有してもよく、かつ1つのプロセッサ403は図4における実施例として使用される)を含み、本発明のいくつかの実施形態において、入力装置401と、出力装置402と、プロセッサ403と、メモリ404とはバスを使用してまたは別の方法で接続されてもよく、かつバス接続は、図4における実施例として使用される。
【００７５】
メモリ404に記憶された実行命令を呼び出すことによって、プロセッサ403は、JTサービングサブフレームを構成するステップと、協調情報を協調基地局に送信するステップと、JTサービングサブフレームをサービングセルにおけるUEに送信するステップとを実行するように構成される。
【００７６】
図3および図4における実施形態は、サービング基地局の観点から説明され、以下に協調基地局の観点から説明を提供される。図5を参照し、本願に提供される協調基地局の主な構造は、
サービング基地局から協調情報を受信するように構成された情報受信モジュール501と、
協調情報に従ってJT協調サブフレームを構成するように構成された第2処理モジュール502であって、JT協調サブフレームは、ノーマルタイプのサブフレームであり、かつサービングセルにおけるUEがCoMP JT通信を実行する必要があるとき、サービング基地局によって構成されたJTサービングサブフレームと共にサービングセルにおけるUEのJTデータを送信するために使用される、第2処理モジュール502と、
サービングセルにおけるUEがCoMP JT通信を実行する必要があるとき、サービングセルにおけるUEに対してCoMP JT通信サービスを提供するために、JT協調サブフレームをサービングセルにおけるUEに送信するように構成された第2通信モジュール503と
を含む。
【００７７】
本実施形態において、情報受信モジュール501はサービング基地局から協調情報を受信し、かつ第2処理モジュール502は協調情報に従ってJT協調サブフレームを構成する。サービングセルにおけるUEがCoMP JT通信を実行する必要があるとき、サービング基地局は、JTサービングサブフレームをサービングセルにおけるUEに送信し、かつ協調基地局の第2通信モジュール503は、JT協調サブフレームをサービングセルにおけるUEに送信する。JTサービングサブフレームおよびJT協調サブフレームは、サービングセルにおけるUEのJTデータを共に送信し、サービングセルにおけるUEに対してCoMP JT通信サービスを提供する。本実施形態に提供される協調基地局は、ノーマルタイプのサブフレームを直接使用し、CoMP JT通信を実行することができ、従って、LTE R9以前のリリースのUEもCoMP JT通信を実施することができる。
【００７８】
特に、本実施形態における協調情報は、サービングセルのCFIを含んでもよい。第2処理モジュール502は、CFIに従ってJT協調サブフレームを構成してもよく、その結果、JT協調サブフレームのPDCCHのシンボル量はJTサービングサブフレームのものと同一であり、かつJT協調サブフレームにおいて、CRSはPDCCH上においてのみ構成される。
【００７９】
さらに具体的には、本実施形態における協調情報は、サービング基地局セルのセル識別情報を含んでもよく、第2処理モジュール502は、サービングセルのセル識別情報に従って、JTサービングサブフレームにおけるCRSの位置を決定し、かつJT協調サブフレームを構成するようにさらに構成されてもよく、その結果、JT協調サブフレームにおいてサービングセルにおけるUEのJTデータは、JTサービングサブフレームにおけるCRSの位置と異なる位置に構成される。
【００８０】
好適には、協調基地局は、RRCシグナリングを協調セルにおけるUEに送信するように構成されたシグナリング送信モジュール504をさらに含んでもよく、その結果、協調セルにおけるUEはJT協調サブフレーム上でチャネル測定を実行しない。特に、RRCシグナリングは、JT協調サブフレームがMBSFNサブフレームであることを協調セルにおけるUEに通知するために使用されてもよい。
【００８１】
前述では、ユニット機能エンティティの観点から本発明の本実施形態における協調基地局を説明し、かつ以下では、ハードウェア処理の観点から本発明の本実施形態における協調基地局を説明する。図6を参照すると、本発明の本実施形態における協調基地局600の別の実施形態は、
入力装置601と、出力装置602と、プロセッサ603と、メモリ604と(協調基地局600は、1つまたは2つ以上のプロセッサ603を有してもよく、かつ1つのプロセッサ603は図6における実施例として使用される)を含み、本発明のいくつかの実施形態において、入力装置601と、出力装置602と、プロセッサ603と、メモリ604とは、バスを使用してまたは別の方法で接続されてもよく、かつバス接続は、図6における実施例として使用される。
【００８２】
メモリ604に記憶された実行命令を呼び出すことによって、プロセッサ603は、サービング基地局から協調情報を受信するステップと、協調情報に従ってJT協調サブフレームを構成するステップと、JT協調サブフレームをサービングセルにおけるUEに送信するステップと、協調基地局によってサービスを提供されるUEにRRCシグナリングを送信するステップとを実行するように構成され、その結果、協調セルにおけるUEはJT協調サブフレーム上でチャネル測定を実行しない。
【００８３】
前述では、サービング基地局および協調基地局の観点から、実施形態およびインスタンスが別々に本発明の実施形態において提供される基地局を説明している。しかしながら、実際の使用では、CoMP JT通信サービスを受信するUEが位置するセルは、不明確である。従って、セルがサービングセルまたは協調セルであるか否かと、基地局がサービング基地局または協調基地局であるか否かは不変ではない。CoMP JT通信サービスを受信するUEが位置するセルは、サービングセルであり、かつセルの基地局は、サービング基地局である。従って、セルの基地局は、サービング基地局の第1処理モジュールと、情報送信モジュールと、第1通信モジュールとを含んでもよいが、協調基地局の情報受信モジュールと、第2処理モジュールと、第2通信モジュールと、シグナリング送信モジュールとをさらに含んでもよい。
【００８４】
以下に、実施例として特定の適用シナリオを使用して、本発明の実施形態に提供される基地局を説明する。
【００８５】
基地局Aと、基地局Bと、基地局Cとは、それらのセルがCoMP JT通信サービスを受信するUEを有するか否かを順次問い合わせる。現在、基地局Aは、基地局Aが位置するセルがCoMP JT通信サービスを受信するUEを有することを問い合わせ、かつ発見し、かつUEは、LTE R10リリースをサポートしないが、LTE R9リリースをサポートする。従って、基地局Aは、サービング基地局として決定され、かつ基地局Bおよび基地局Cは協調基地局として決定される。
【００８６】
基地局Aの第1処理モジュール301は、ノーマルサブフレーム上でJTデータを構成し、サブフレームはJTサービングサブフレームと呼ばれる。次いで、基地局Aの情報送信モジュール302は、協調情報を基地局Bおよび基地局Cに送信し、協調情報は基地局AのCFI情報と、基地局Aが位置するセルのセル識別情報とを含む。CFI情報は、基地局Aによって構成されたJTサービングサブフレームのPDCCHのシンボル量が2であることを示す。
【００８７】
基地局Bおよび基地局Cは、情報送信モジュール302から協調情報を別々に受信し、かつ協調情報におけるCFIおよびセル識別情報に従って、協調サブフレームBおよび協調サブフレームCをそれぞれ構成する。協調サブフレームBおよび協調サブフレームCにおいて、PDCCHのシンボル量もまた2である。サブフレームBおよびサブフレームCでは、PDCCH位置を除く他の位置にはCRSは構成されていない。基地局Bおよび基地局Cは、計算を介し、セル識別情報に従って、Aが位置するセルのサブフレームにおけるCRSの位置を取得し、協調サブフレームBおよび協調サブフレームCにおいて、これらの位置を使用してJTデータを搬送することを回避する。
【００８８】
基地局Aの第1通信モジュール303は、JTサービングサブフレームを使用し、基地局Bは協調サブフレームBを使用し、かつ基地局Cは協調サブフレームCを使用し、CoMP JT通信を実行する。
【００８９】
当業者であれば、簡潔かつ簡単な説明のために、前述のシステム、装置、およびユニットの詳細な作業プロセスのために、前述の方法の実施形態における対応するプロセスを参照することができることを明確に理解することができ、詳細はここでは再度説明しない。
【００９０】
本願で提供されるいくつかの実施形態では、開示されたシステム、装置、および方法は、他の方法で実施され得ることを理解されたい。例えば、説明された装置の実施形態は単なる例示である。例えば、ユニット部は単に論理的な機能部であり、実際の実装では他の部であってもよい。例えば、複数のユニットまたは構成要素が組み合わされ、または、別のシステムに統合されてもよく、または一部の機能が無視され、または実行されなくてもよい。さらに、表示されまたは議論された相互結合若しくは直接結合または通信接続は、いくつかのインタフェースを使用することによって実装されてもよい。装置またはユニット間の間接的結合または通信接続は、電子的、機械的または他の形態で実施されてもよい。
【００９１】
別個の部品として説明されたユニットは物理的に分離していてもいなくてもよく、ユニットとして表示されている部品は物理ユニットであってもなくてもよく、1つの位置にあってもよく、または複数のネットワークユニットに分散されてもよい。ユニットの一部またはすべては、実施形態の解決策の目的を達成するために実際の必要に応じて選択されてもよい。
【００９２】
また、本発明の実施形態における機能ユニットは、1つの処理ユニットに統合されていてもよく、または各ユニットが物理的に単独で存在してもよく、2つまたは3つ以上のユニットが1つのユニットに統合される。統合されたユニットは、ハードウェアの形態で実装されてもよく、ソフトウェア機能ユニットの形態で実装されてもよい。
【００９３】
統合ユニットがソフトウェア機能ユニットの形態で実装され、独立した製品として販売または使用されるとき、統合されたユニットはコンピュータ可読記憶媒体に記憶されてもよい。そのような理解に基づいて、本質的な本発明の技術的解決策、または先行技術に寄与する部分、または技術的解決のすべてまたは一部は、ソフトウェア製品の形態で実施されてもよい。ソフトウェア製品は、記憶媒体に記憶され、コンピュータデバイス(パーソナルコンピュータ、サーバ、またはネットワークデバイスであってもよい)に、本発明の実施形態に説明される方法のステップのすべてまたは一部を実行するよう指示するためのいくつかの命令を含む。上記の記憶媒体は、USBフラッシュドライブ、リムーバブルハードディスク、リードオンリメモリ(ROM, Read-Only Memory)、ランダムアクセスメモリ(RAM, Random Access Memory)、磁気ディスク、光ディスク等のプログラムコードを記憶することができる任意の媒体を含む。
【００９４】
前述の実施形態は、本発明の技術的解決策を説明するためのものに過ぎず、本発明を限定するものではない。本発明は、前述の実施形態を参照して詳細に説明されているが、当業者は、本発明の実施形態の技術的解決策の精神および範囲から逸脱することなく、前述の実施形態に記載された技術的解決策をさらに変更したり、その一部の技術的特徴を均等置換したりすることができることを理解すべきである。
【符号の説明】
【００９５】
３０１  第1処理モジュール
３０２  情報送信モジュール
３０３  第1通信モジュール
４００  サービング基地局
４０１  入力装置
４０２  出力装置
４０３  プロセッサ
４０４  メモリ
５０１  情報受信モジュール
５０２  第2処理モジュール
５０３  第2通信モジュール
５０４  シグナリング送信モジュール
６００  協調基地局
６０１  入力装置
６０２  出力装置
６０３  プロセッサ
６０４  メモリ
【図１】
0006468505.tif 000002
【図２】
0006468505.tif 000003
【図３】
0006468505.tif 000004
【図４】
0006468505.tif 000005
【図５】
0006468505.tif 000006
【図６】
0006468505.tif 000007